(57)【要約】      （修正有）【課題】ペットの爪切りと爪研ぎを同時に行うことが出来るようにしたペット用爪切り器を提供する。【解決手段】爪挿入時に切断部と爪先との距離を一定に保つことで深爪を防ぐと同時に、その鋭利なカット後の断面をなめらかに研磨するようにした。【選択図】図３
0003101848.tif 000002
【実用新案登録請求の範囲】
【請求項１】
ペットの爪１を刃２にて切断、同時に研磨具３にて研磨を行う器具。
【考案の詳細な説明】
【考案の詳細な説明】
【考案が解決しようとする課題】
【０００１】  従来、ペット用の爪切器具は各種存在しているが、適正な長さに切り揃える事が出来ないという問題と、切り口が鋭利な為人物を傷つけるという問題点を有していた。
【課題を解決するための手段】
【０００２】  上記目的を達成するために、爪挿入時に切断部と爪先との距離を一定に保つことで深爪を防ぐと同時に、その鋭利なカット後の断面をなめらかに研磨するようにした。
【考案の効果】
【０００３】  俊敏な行動や動作を伴うペットに対し、瞬時に適正かつ安全に爪のカット及び研磨が行うことができる。
【図面の簡単な説明】
【図１】研磨具を装着したペット用爪切器の斜視図である。
【図２】研磨具を装着したペット用爪切器本体の断面図である。
【図３】研磨具を装着したペット用爪切器で爪を切断している状態を示すもので、部分断面図である。
【図４】研磨具を装着したペット用爪切器で爪を切断した状態のまま研磨している状態を示すもので、部分断面図である。
【図５】爪切器を開口部Ａから見た部分断面図である。
【符号の説明】
１    ペットの爪
２    爪切り刃
３    研磨具
４    刃受け
５    爪切り刃支持
６    駆動部
７    本体ケース
８    電池
【図１】
0003101848.tif 000003
【図２】
0003101848.tif 000004
【図３】
0003101848.tif 000005
【図４】
0003101848.tif 000006
【図５】
0003101848.tif 000007
【手続補正書】
【提出日】平成15年9月26日(2003.9.26)
【手続補正１】
【補正対象書類名】実用新案登録請求の範囲
【補正対象項目名】全文
【補正方法】変更
【補正の内容】
【実用新案登録請求の範囲】
【請求項１】
ペットの爪１を開口部Ａより挿入し、爪切り刃２を装着した爪切り刃支持５を刃受け４に押入れペットの爪１を切断する。切断した状態を保持したままペットの爪１を研磨具３に押し当て、爪切り刃支持５に連動させた駆動部６と研磨具３を回転させることとし切断と研磨を同時に行うものとした。
【手続補正書】
【提出日】平成16年1月21日(2004.1.21)
【手続補正１】
【補正対象書類名】実用新案登録請求の範囲
【補正対象項目名】全文
【補正方法】変更
【補正の内容】
【実用新案登録請求の範囲】
【請求項１】
底面が開口した略箱形で、長さ方向の一端側面に爪挿入用開口を有し、この爪挿入用開口に近接して刃受けが設けられた略箱型の本体ケースと、
この本体ケースの底面を構成可能にその他端に支持された板状の爪切り刃支持材と、
爪切り刃支持材の長さ方向の一端に配設され、上記刃受けと協働して上記爪挿入用開口に挿入されたペットの爪を切断する爪切り刃と、
本体ケースの刃受けに近接して設けられ、上記爪挿入用開口に挿入されたペットの爪の先端を研磨する研磨具と、
研磨具を駆動する駆動部とを備えた研磨具を装着したペット用爪切器であって、
上記爪切り刃にはペットの爪が挿入される開口が形成されている研磨具を装着したペット用爪切器。
【手続補正２】
【補正対象書類名】明細書
【補正対象項目名】全文
【補正方法】変更
【補正の内容】
【考案の詳細な説明】
【技術分野】
【０００１】
この考案は研磨具を装着したペット用爪切器に関する。
【考案の開示】
【考案が解決しようとする課題】
【０００２】
従来、ペット用の爪切器具は各種存在しているが、適正な長さに切り揃えることができないという問題と、切り口が鋭利なため人物を傷つけるという問題点を有していた。
【課題を解決するための手段】
【０００３】
上記目的を達成するために、爪挿入時に切断部と爪先との距離を一定に保つことで深爪を防ぐと同時に、その鋭利なカット後の断面をなめらかに研磨するようにした。
すなわち、請求項１に記載の考案は、底面が開口した略箱形で、長さ方向の一端側面に爪挿入用開口を有し、この爪挿入用開口に近接して刃受けが設けられた略箱型の本体ケースと、この本体ケースの底面を構成可能にその他端に支持された板状の爪切り刃支持材と、爪切り刃支持材の長さ方向の一端に配設され、上記刃受けと協働して上記爪挿入用開口に挿入されたペットの爪を切断する爪切り刃と、本体ケースの刃受けに近接して設けられ、上記爪挿入用開口に挿入されたペットの爪の先端を研磨する研磨具と、研磨具を駆動する駆動部とを備えた研磨具を装着したペット用爪切器であって、上記爪切り刃にはペットの爪が挿入される開口が形成されている研磨具を装着したペット用爪切器である。
【考案の効果】
【０００４】
この考案に係る研磨具を装着したペット用爪切器によれば、俊敏な行動や動作を伴うペットに対し、瞬時に適正かつ安全に爪のカット及び研磨を行うことができる。
【考案を実施するための最良の形態】
【０００５】
以下この考案に係る研磨具を装着したペット用爪切器の一実施例を図１〜図５を参照して説明する。
図１，２に示すように、このペット用爪切器は、本体ケース７と、爪切り刃支持材５と、爪切り刃２と、研磨具３と、駆動部６とを有している。
本体ケース７は、底面が開口した略箱形に形成されている。本体ケース７の長さ方向の一端側面にはペットの爪１が挿入される爪挿入用開口が形成されている。さらに、本体ケース７の爪挿入用開口に近接して刃受け４が設けられている。爪切り刃支持材５は、板状であって、本体ケース７の長さ方向の他端に支持されて、本体ケース７の底面を構成可能に設けられている。爪切り刃支持材５の長さ方向の一端には爪切り刃２が配設されており、この爪切り刃２は上記刃受け４と協働して上記爪挿入用開口に挿入されたペットの爪１を切断することができる。
研磨具３は、本体ケース７内でその刃受け４に近接して設けられ、上記爪挿入用開口に挿入されたペットの爪１の先端を研磨する。研磨具３は駆動部６により駆動される。駆動部６は本体ケース７内に保持されている。本体ケース７内には電池８が配設されている。
そして、図５に示すように、上記爪切り刃２にはペットの爪１が挿入される開口が形成されている。
したがって、このペット用爪切器にあっては、図３に示すように、まず、ペットの爪１を本体ケース７の爪挿入用開口から刃受け４の開口を介して挿入する。この状態から爪切り刃２でペットの爪１の先端をカットする。すると、図４に示すように、ペットの爪１の先端は研磨具３に当接し、研磨具３で研磨される。すなわち、ペットの爪１は爪切り刃２で切断、同時に研磨されるのである。
【図面の簡単な説明】
【０００６】
【図１】この考案の一実施例に係る研磨具を装着したペット用爪切器の斜視図である。
【図２】この考案の一実施例に係る研磨具を装着したペット用爪切器の断面図である。
【図３】この考案の一実施例に係る研磨具を装着したペット用爪切器の断面図である。
【図４】この考案の一実施例に係る研磨具を装着したペット用爪切器の断面図である。
【図５】この考案の一実施例に係る研磨具を装着したペット用爪切器の断面図である。
【符号の説明】
【０００７】
１  ペットの爪、
２  爪切り刃、
３  研磨具、
４  刃受け、
５  爪切り刃支持材、
６  駆動部、
７  本体ケース、
８  電池。